(57)【要約】【課題】帆立貝の耳吊り養殖において、帆立貝の生育を良好とし、収穫量の大幅な増加を期待し得る帆立貝養殖用の係止ピンを提供する。【解決手段】軸部２の両端部に帆立貝の耳片の耳吊り孔に挿入する先端挿入部３，３を有し、先端挿入部の軸方向内方部位に径方向外方に突出し、先端挿入部とは反対方向に傾斜した係止片５，５を有し、軸部の中間部に「ハ」字状のロープ抜止片６，６を有し、各部全一体的に樹脂で成形した帆立貝養殖用の係止ピンであり、軸部２のロープ抜止片６，６の前後に、軸部の一般外径よりも小径のくびれ部８を少なくとも１箇所設けた。【選択図】図１
0003189053.tif 000002
【実用新案登録請求の範囲】
【請求項１】
軸部の両端部に帆立貝の耳片の耳吊り孔に挿入する先端挿入部を有し、この先端挿入部の軸方向内方部位に径方向外方に突出し、先端挿入部とは反対方向に傾斜した係止片を有し、軸部の中間部に「ハ」字状のロープ抜止片を有し、各部全一体的に樹脂で成形した帆立貝養殖用の係止ピンにおいて、
前記軸部の前記ロープ抜止片の前後に、軸部の一般外径よりも小径のくびれ部を少なくとも１箇所設けた、
ことを特徴とする帆立貝養殖用の係止ピン。
【請求項２】
前記くびれ部は、前記軸部の前記ロープ抜止片の夫々軸方向外方に隣接して２箇所設けられ、くびれ部は上下に凹状であることを特徴とする請求項１記載の帆立貝養殖用の係止ピン。
【請求項３】
前記くびれ部は、前記軸部の前記ロープ抜止片の突出方向の反対側の位置に２箇所凹状に設けたことを特徴とする請求項１記載の帆立貝養殖用の係止ピン。
【請求項４】
前記くびれ部は、前記軸部の前記ロープ抜止片の突出方向の軸部周であって、抜止片間に設けられ、くびれ部は上下に凹状であることを特徴とする請求項１記載の帆立貝養殖用の係止ピン。
【請求項５】
前記くびれ部は、前記軸部の前記ロープ抜止片の突出方向の軸部周であって、抜止片間に設けられ、くびれ部は軸部周の上側に凹部状に設けられることを特徴とする請求項１記載の帆立貝養殖用の係止ピン。
【請求項６】
前記くびれ部は、前記軸部の前記ロープ抜止片の突出方向の軸部周であって、抜止片間に設けられ、くびれ部は軸部周の下側に凹部状に設けられることを特徴とする請求項１記載の帆立貝養殖用の係止ピン。
【請求項７】
前記くびれ部は、前記軸部の前記ロープ抜止片の軸方向内方部位に設けられ、軸方向に離間して２箇所上側、下側に凹状に設けられたことを特徴とする請求項１記載の帆立貝養殖用の係止ピン。
【請求項８】
前記くびれ部は、前記軸部の前記ロープ抜止片の軸方向内方部位に設けられ、軸方向に離間して２箇所上側に凹状に設けられたことを特徴とする請求項１記載の帆立貝養殖用の係止ピン。
【請求項９】
前記くびれ部は、前記軸部の前記ロープ抜止片の軸方向内方部位に設けられ、軸方向に離間して２箇所下側に凹状に設けられたことを特徴とする請求項１記載の帆立貝養殖用の係止ピン。
【請求項１０】
前記くびれ部は、前記軸部の前記ロープ抜止片の軸方向各外方部位の上側に設けられて凹状であり、且つ軸部周の前記ロープ抜止片間の下側であって、前記ロープ抜止片間の下側の略々全長に亘り凹状に設けられていることを特徴とする請求項１記載の帆立貝養殖用の係止ピン。
【考案の詳細な説明】
【技術分野】
【０００１】
本考案は、帆立貝の養殖に用いる係止ピンの改良に関するものである。
【背景技術】
【０００２】
帆立貝の養殖に際し、係止ピンをロープに通し、係止ピンの先端部に設けた係止部に帆立貝稚貝の耳片穿孔部を通し、海中にロープを垂らし、帆立貝を養殖する耳吊式養殖は従来から実用に供されている（例えば特許文献１参照）。
【先行技術文献】
【特許文献】
【０００３】
【特許文献１】実用新案登録第３１８２１２２号公報
【０００４】
帆立貝の特許文献１に係る帆立貝の養殖の一例を図１４〜図２０で説明する。
尚、符号を新たに付り直した。
図１４は帆立貝の耳吊式養殖に用いる従来の係止ピンの正面図である。
従来の係止ピン１００は、細長い軸部１０１の両端部に尖鋭な先端挿入部１０２，１０２を有し、先端挿入部１０２，１０２の軸方向内方部位には、対称的に内向きに傾斜して径方向外方に突出する係止片１０３．１０３を有する。
軸部１０１の長さ方向中間部周には、係止片１０３，１０３と同方向で、向かい合うように径方向外方に突出するロープ抜止片１０４，１０４が突設され、ロープ抜止片１０４，１０４は、ロープの中央位置にロープの外径と略々一致する間隔を開けて「ハ」字形に突設されている。
【０００５】
以上の係止ピン１００は、例えば、軸部１０１の全長が６４ｍｍ〜６７ｍｍであり、先端挿入部部１０２から係止片１０３，１０３の基部までの長さが、例えば７ｍｍ〜１０ｍｍであり、係止ピン１００の最も径が大きい軸部１０１の直径は、１．４〜１．８ｍｍである。
尚、係止ピン１００は、樹脂で各部全一体に成形し、素材としては、例えば、６６ナイロンを用いた。６６ナイロンは、係止ピンとして用いた場合、帆立貝を係止して海中に侵浸した際、海中で水分を吸収し、これにより少し柔らかくなり、また、伸ばすと約３倍程度延伸するためである。
【０００６】
帆立貝の耳吊り養殖においては、２枚あけ養殖と１枚あけ養殖とに区別され、一般的には小さめの稚貝（殻長４〜５ｃｍくらい）の場合には２枚あけで、大きめの稚貝（殻長６〜８ｃｍくらい）は１枚あけで実施されている。
図１５は１枚あけの例を示しており、以下に１枚あけの例で説明する。
帆立貝（稚貝）１１０の耳片１１１の一方、例えば耳片１１１ａ（図では左殻）の一部にドリル１１３で耳吊り孔１１２を穿設し、係止ピン１００の先端挿入部１０２を挿入し、先端挿入部１０２は尖鋭な先端部から耳吊り孔１１２に侵入し、係止片１０３は撓んで耳吊り孔１１２を通過し、係止片１０３が耳吊り孔１１２の周辺部に接して孔からの抜脱を阻止し、帆立貝を係止ピン１００の先端部に保持する。
【０００７】
係止ピン１００はロープ１１４に刺通され、ロープ１１４には刺通孔（耳吊り孔）１１５を事前に穿孔しておき、係止ピン１００を刺通孔１１５に通し、軸部１０１の中間部に設けたロープ抜止片１０４，１０４で係止ピン１００をロープ１１４に位置決めし、且つ当該位置で抜け止め位置決めする。
係止ピン１００の両端の係止片１０３，１０３で帆立貝１１０を係止、保持する。この状態を図１７で示し、図１８に示すように海中１１６に垂らしたロープ１１４に複数の係止ピン１００…（…は複数を表す、以下同じ）を介して帆立貝１１０を係止する。ロープ１１４は、例えば、径が６〜８ｍｍ、長さが１０〜１５ｍである。
係止ピン１００を１００〜１３０ｍｍピッチで、ロープの長さ方向に直交する方向に貫通・保持させ、係止ピンの両端部に稚貝の耳片を貫通させ、海中に縦向きにロープを吊り下げ、なされるものである。
【０００８】
図１９は、帆立貝の耳吊式養殖の一例を示す説明図である。
図は帆立貝養殖装置の一例の全体を示す図であり、海底１２０に固定したアンカー１２１，１２１に基端部を固定したアンカーロープ１２２，１２２の先端部（上端部）間に横ロープ１２３を結束し、横ロープ１２３は、長さ方向（横方向）に間隔を開けて複数箇所を浮体１２４…に結束し、横ロープ１２３を海面１２５下の所定深さに保持する。
横ロープ１２３には、長さ方向に所定間隔で複数の縦ロープ１１４…を吊り下げ、縦ロープ１１４…の夫々には、ロープ１１４…の長さ方向（縦方向）に前記したように所定ピッチで係止ピン１００…を係止し、各係止ピン１００…の端部に帆立貝１１０，１１０の耳片を係止し、横ロープ１２３…の両端部とアンカーロープ１２２，１２２の連結部には、海面上に上半部が露出する露出浮体１２６…を連結し、海面における養殖場所の目印とする。
以上により帆立貝の耳吊り養殖を実施する。
【考案の概要】
【考案が解決しようとする課題】
【０００９】
以上の帆立貝の耳吊り養殖において、帆立貝１１０の耳片１１１ａに穿孔された刺通孔（耳吊り孔）１１２に係止ピン１００の先端挿入部１０２を挿入して刺通し、係止片１０３で刺通孔１１２からの抜け出しを阻止する。耳吊り状態で係止ピン１００に帆立貝１１０を図１６、図１７、図１８のように係止するものである。
【００１０】
ところで、帆立貝の耳片への穿孔、係止ピンの刺通により帆立貝は傷つき、耳片に刺通された係止ピンの軸部は、帆立貝にとっては異物の侵入として捉えられ、貝殻に生じた傷や孔等は自己修復作用で塞がれる。
その理由は、耳片への穿孔、係止ピンによる刺通、係止に際し、帆立貝の内側外縁部にある外套膜が損傷しない限り、外套膜から分泌される刺激物により新たな貝質の成長が促され、傷や孔、係止ピンを埋め込んでしまうことによる。
【００１１】
従来の係止ピンによる帆立貝の耳吊りは、係止ピン１００の軸部１０１が全長に亘り同径、或いは略々同径であって、略々直線状である。
耳片１１１ａに対し、図１６、図１７、図１８に示したように刺通孔（耳吊り孔）１１２を通った係止ピン１００は、略々直交した状態で耳片、刺通孔に刺通され、係止されている。
ところで、前述したように帆立貝は、穿孔、係止ピンの刺通による傷、孔を貝質により自己治癒力により自己修復作用で塞ごうとする。
【００１２】
これを図２０の（ａ）〜（ｃ）により説明すると、
（ａ）のように帆立貝１１０の一方の耳片１１１ａに耳吊り孔１１２を穿孔し、係止ピン１００の先端挿入部１０２が貫通して刺通され、孔外側の周辺部に係止片１０３が接し、抜け出しは阻止されるいが、耳片部分では貝は孔、侵入した係止ピン軸部を傷、異物と認識し、前記したように外套膜からの刺激により形成される新たな貝質（カルシウム分）が自己修復作用で自己治癒させ、孔、係止ピンを囲んで孔を塞ぎ、また異物である係止ピンの孔刺通部の周辺部を折り曲げて排除しようとする。
図２０の（ｂ）から更に（ｃ）のように、係止ピンを排除するために、係止ピンの軸部を略々９０°近く押し曲げて排除しようとする。
孔の修復、閉塞は勿論、刺通された係止ピンの軸部を、自己修復作用による新たな貝質の生成で覆い隠してしまう。
【００１３】
ところで、孔の閉塞を含む修復のための治癒作用と共に、上記したように耳吊り孔に直交するように刺通された係止ピンの軸部を体内から排除すべく９０°近く押し曲げ、排除するに際し、帆立貝は極めて大きなエネルギーを必要とする。
本来であれば、成長エネルギーとして利用したいエネルギーが、傷や孔の修復、係止ピン軸部の押し曲げ排除に使われる結果、帆立貝の生育が遅れたり、阻害されたりし、甚だしくは斃死する場合すらある。
この結果、帆立貝の生育が遅れたりし、帆立貝の養殖時間が長くかかったり、収穫量が減少することともなる。
特に上記した２枚とおしの場合には、外套膜の外側に係止ピンの軸部が貫通する場合もあり、外套膜を傷つける虞があり、生育不良の確率が高くなり、又斃死率も高くなる虞がある。
【００１４】
本考案は以上の課題を解決するためになされたものである。
本考案の目的とする処は、帆立貝の耳吊り養殖において、耳吊り用の刺通孔を穿孔し、係止ピンで係止、保持しつつ帆立貝の生育を良好とし、収穫量の大幅な増加を期待し得る帆立貝養殖用の係止ピンを提供することにある。
【課題を解決するための手段】
【００１５】
上記課題を解決するために請求項１に係る考案は、軸部の両端部に帆立貝の耳片の耳吊り孔に挿入する先端挿入部を有し、この先端挿入部の軸方向内方部位に径方向外方に突出し、先端挿入部とは反対方向に傾斜した係止片を有し、軸部の中間部に「ハ」字状のロープ抜止片を有し、各部全一体的に樹脂で成形した帆立貝養殖用の係止ピンにおいて、軸部のロープ抜止片の前後に、軸部の一般外径よりも小径のくびれ部を少なくとも１箇所設けたことを特徴とする。
【００１６】
請求項２に係る考案は、請求項１において、くびれ部は、軸部のロープ抜止片の夫々軸方向外方に隣接して２箇所設け、くびれ部は上下に凹状であることを特徴とする。
【００１７】
請求項３に係る考案は、請求項１において、くびれ部は、軸部のロープ抜止片の突出方向の反対側の位置に２箇所凹状に設けたことを特徴とする。
【００１８】
請求項４に係る考案は、請求項１において、くびれ部は、軸部のロープ抜止片の突出方向の軸部周であって、抜止片間に設けられ、くびれ部は上下に凹状であることを特徴とする。
【００１９】
請求項５に係る考案は、請求項１において、くびれ部は、軸部のロープ抜止片の突出方向の軸部周であって、抜止片間に設けられ、くびれ部は軸部周の上側に凹部状に設けられることを特徴とする。
【００２０】
請求項６に係る考案は、請求項１において、くびれ部は、軸部のロープ抜止片の突出方向の軸部周であって、抜止片間に設けられ、くびれ部は軸部周の下側に凹部状に設けられることを特徴とする。
【００２１】
請求項７に係る考案は、請求項１において、くびれ部は、軸部のロープ抜止片の軸方向内方部位に設けられ、軸方向に離間して２箇所上側、下側に凹状に設けられたことを特徴とする。
【００２２】
請求項８に係る考案は、請求項１において、くびれ部は、軸部のロープ抜止片の軸方向内方部位に設けられ、軸方向に離間して２箇所上側に凹状に設けられたことを特徴とする。
【００２３】
請求項９に係る考案は、請求項１において、くびれ部は、軸部のロープ抜止片の軸方向内方部位に設けられ、軸方向に離間して２箇所下側に凹状に設けられたことを特徴とする。
【００２４】
請求項１０に係る考案は、請求項１において、くびれ部は、軸部のロープ抜止片の軸方向各外方部位の上側に設けられて凹状であり、且つ軸部周のロープ抜止片間の下側であって、ロープ抜止片間の下側の略々全長に亘り凹状に設けられていることを特徴とする。
【考案の効果】
【００２５】
請求項１に係る考案によれば、係止ピンの軸部のロープ抜止片の前後に、軸部の一般外径よりも小径のくびれ部を少なくとも１箇所設けたので、ロープに通した係止ピンの両端部に帆立貝を係止した状態で、係止ピンは稚貝の重さであってもくびれ部から容易に撓み、ロープと略平行となるように折れ曲がって垂れ下がる。
これにより、係止ピンの帆立貝耳片に刺通した軸部は、帆立貝耳片に設けた刺通孔（耳吊り孔）に対し斜めに通った状態となって斜交状態で耳片を吊り下げる状態となる。
この結果、耳片への係止ピン刺通による異物侵入に際し、生じる自己治癒、自己修復作用による係止ピン（異物）を新たな貝質によって排除し、押し曲げる作用は、係止ピン軸部の耳片への斜交刺通により軽減される。
【００２６】
従って、従来のような係止ピン軸部の略直交した刺通、保持による係止ピン軸部の押し曲げ作用に要するエネルギーは専ら貝の生育に向けられ、貝質による軸部の被覆を容易に行わせ、異物の自己内部からの排除が容易になされ、その分、貝本来の自己の生育にエネルギーを使うことが可能となり、その結果、従来の係止ピンに比較して生育度合は優れたものとなり、収穫量は従来の係止ピンを使用した場合に比較し増加する。
【００２７】
請求項２に係る考案によれば、くびれ部は、軸部のロープ抜止片の夫々軸方向外方に隣接して２箇所設け、くびれ部は上下に凹状であるので、軸方向に離間した「ハ」の字状の抜止片間はロープを貫通して保持され、抜止片前後に上下に絞ったくびれ部が形成され、くびれ部がロープの両側から容易に撓むことができ、ロープと略々平行するように垂れ、帆立貝耳部への係止ピン軸部の刺通が容易に、確実に斜交し、請求項１の効果を確実、容易に実現することができる。
【００２８】
請求項３に係る考案によれば、くびれ部は、軸部のロープ抜止片の突出方向の反対側の位置に２箇所凹状に設けたので、くびれ部はロープの両側から容易に撓むことができ、請求項１の効果を確実、容易に実現することができる。
【００２９】
請求項４に係る考案によれば、くびれ部は、軸部のロープ抜止片の突出方向の軸部周であって、抜止片間に設けられ、くびれ部は上下に凹状であるので、くびれ部はロープ刺通部から逆Ｖ字状に撓むことができ、請求項１の効果を確実、容易に実現することができる。
【００３０】
請求項５に係る考案によれば、くびれ部は、軸部のロープ抜止片の突出方向の軸部周であって、抜止片間に設けられ、くびれ部は軸部周の上側に凹部状に設けられているので、くびれ部はロープ刺通部から逆Ｖ字状に撓むことができ、請求項１の効果を確実、容易に実現することができる。
【００３１】
請求項６に係る考案によれば、くびれ部は、軸部のロープ抜止片の突出方向の軸部周であって、抜止片間に設けられ、くびれ部は軸部周の下側に凹部状に設けられているので、くびれ部はロープ刺通部から逆Ｖ字状に撓むことができ、請求項１の効果を確実、容易に実現することができる。
【００３２】
請求項７に係る考案によれば、くびれ部は、軸部のロープ抜止片の軸方向内方部位に設けられ、軸方向に離間して２箇所上側、下側に凹状に設けられているので、くびれ部はロープ刺通部から逆Ｕ字状に撓むことができ、請求項１の効果を確実、容易に実現することができる。
【００３３】
請求項８に係る考案によれば、くびれ部は、軸部のロープ抜止片の軸方向内方部位に設けられ、軸方向に離間して２箇所上側に凹状に設けられているので、くびれ部はロープ刺通部から逆Ｕ字状に撓むことができ、請求項１の効果を確実、容易に実現することができる。
【００３４】
請求項９に係る考案によれば、くびれ部は、軸部のロープ抜止片の軸方向内方部位に設けられ、軸方向に離間して２箇所下側に凹状に設けられているので、くびれ部はロープ刺通部から逆Ｕ字状に撓むことができ、請求項１の効果を確実、容易に実現することができる。
【００３５】
請求項１０に係る考案によれば、くびれ部は、軸部のロープ抜止片の軸方向各外方部位の上側に設けられて凹状であり、且つ軸部周のロープ抜止片間の下側であって、ロープ抜止片間の下側の略々全長に亘り凹状に設けられているので、くびれ部はロープ刺通部内、これの前後部分から容易に撓むことができ、請求項１の効果を確実、容易に実現することができる。
【図面の簡単な説明】
【００３６】
【図１】本考案に係る係止ピンの第１実施例に係る正面図である。
【図２】第１実施例に係る係止ピンによる帆立貝の稚貝の耳吊り養殖の極く初期の状態を示す説明図である。
【図３】図２の状態から係止ピンが撓んで、係止ピンが貝耳片に対し斜交するように吊り下げ、保持した状態を示す一部拡大説明図である。
【図４】図３の帆立貝の斜交吊り下げ、係止状態を示す要部の説明図で、（ａ）は全体の図、（ｂ）は同要部の拡大説明断面図である。
【図５】第１実施例に係る係止ピンの樹脂成形品を示す説明図である。
【図６】本考案に係る係止ピンの第２実施例に係る正面図である。
【図７】本考案に係る係止ピンの第３実施例に係る正面図である。
【図８】本考案に係る係止ピンの第４実施例に係る正面図である。
【図９】本考案に係る係止ピンの第５実施例に係る正面図である。
【図１０】本考案に係る係止ピンの第６実施例に係る正面図である。
【図１１】本考案に係る係止ピンの第７実施例に係る正面図である。
【図１２】本考案に係る係止ピンの第８実施例に係る正面図である。
【図１３】本考案に係る係止ピンの第９実施例に係る正面図である。
【図１４】帆立貝の耳吊式養殖に用いる従来の係止ピンの正面図である。
【図１５】帆立貝稚貝への耳吊り孔穿孔の説明図で、斜視図である。
【図１６】耳吊り孔への係止ピン先端部の挿入、係止、保持状態を示す要部の拡大断面図である。
【図１７】ロープに係止ピンを通して帆立貝を吊り下げて養殖する状態を示す説明図である。
【図１８】ロープへの係止ピンのよる帆立貝養殖の説明図である。
【図１９】帆立貝の耳吊式養殖の説明図で、帆立貝養殖装置の一例の全体を示す図である。
【図２０】（ａ）〜（ｃ）は、従来の帆立貝係止における課題を説明する図であり、耳片への穿孔、係止ピンの刺通による孔、傷を貝質により自己治癒力により自己修復作用で塞ごうとする説明図である。
【考案を実施するための形態】
【００３７】
本考案の実施の形態を添付図に基づいて以下に説明する。なお、図面は符号の向きに見るものとする。
本考案に係る係止ピンの第１実施例に係る正面図である。
係止ピン１は、丸棒状の軸部２の両端部に先端部３，３を半球状とし先端挿入部４，４を有し、先端挿入部４，４の軸方向内方部位に、径方向外方に突出し、先端挿入部４，４とは反対方向に傾斜した係止片５，５を有する。
【００３８】
軸部２の中間部周にはロープの抜止片６，６が径方向外方に突設され、抜止片６，６の突出方向は係止片５，５と同方向であり、夫々は向かい合って傾斜して配設されて「ハ」字状をなすように設けられている。
抜止片６，６間の軸部７の長さは、後述するロープ２０の外径と略々一致する。
【００３９】
以上の係止ピン１において、軸部２の外周であって、軸方向に離間して設けられている抜止片６，６の軸方向外方部位であって、抜止片６，６の基部６ａ，６ａに近い部位から軸部２の外方部位にかけて凹状部を設け、凹状部は上側８ａ，８ａ、下側８ｂ，８ｂに上下対称的に設ける。
以上の凹状部により、軸部２の抜止片６，６の前後にくびれ部８，８を設ける。くびれ部８，８は、軸方向に長さを有する。
以上の係止ピンは樹脂で形成され、各部全一体に形成されている。
【００４０】
実施例では、係止ピン１の長さは、例えば、軸部１０１の全長が６４ｍｍ〜６７ｍｍ、先端挿入部３から係止片５の基部までの長さが、例えば７ｍｍ〜１０ｍｍであり、係止ピン１の最も径が大きい軸部１０１の直径は、１．４〜１．８ｍｍであり、第１実施例では、くびれ部８の径は約１ｍｍ、くびれ部の長さは約２ｍｍである。
素材としては、帆立貝を係止して海中に侵浸した際、海中で水分を吸収し、これにより少し柔らかくなり、また、伸ばすと約３倍程度延伸することを考慮して例えば、６６ナイロンを用いた。
【００４１】
図２は、第１実施例に係る係止ピンによる帆立貝の稚貝の耳吊り養殖の極く初期の状態を示す説明図である。
ロープ２０に係止ピン１は貫通孔２１を通って貫通しており、係止ピン１の両端の先端挿入部４，４を通って係止片５，５によりは帆立貝の稚貝１０，１０は抜脱しないように保持されている。
稚貝としては、例えば、実施例では大きめの稚貝（殻長６〜８ｃｍくらい）を用い、１枚あけとして耳片１１の一方に前記したと同様に穿孔し、刺通孔をあけ、刺通孔（耳吊り孔）に係止ピン１の先部の軸部が通っている。
【００４２】
図２は、ロープ２０に係止ピン１を通し、係止ピン１の両端部に稚貝１０，１０を係止、保持した状態を示し、この状態は稚貝係止の極めて初期の状態を示している。
ロープ２０は、例えば、径が６〜８ｍｍ、長さが１０〜１５ｍであり、係止ピン１を１００〜１３０ｍｍピッチであり、海中に縦向きにロープを吊り下げて養殖はなされるものである。
【００４３】
係止ピン１の両端部に稚貝１０，１０を係止、保持した状態で吊り下げると、稚貝の自重が係止ピン１の両端部に作用し、係止ピン１は前述のようにロープの抜止片６，６の前後の部分にくびれ部８，８が設けられており、くびれ部８，８から下方に撓む。
この状態では、図３に示すように係止ピン１の軸部２の抜止片６，６の軸方向外方部位がロープ２０と略々平行するように撓む。
【００４４】
この結果、稚貝１０の耳片１１に設けた刺通孔（耳吊り孔）１２に対し、係止ピン１の先端挿入部４の軸部４ａは、刺通孔１２に対し斜めに挿入されることとなり、この状態を図３（ａ）で全体の図として示し、（ｂ）では貫通斜交係止、保持状態を拡大して説明図として示した。
図３の（ｂ）で示すように係止ピン１の軸部は、稚貝１０の耳片１１の刺通孔（耳吊り孔）１２に斜交した状態で通り、斜交した状態で耳片１１は係止ピン１に吊り下げられ、保持されることとなる。
これを図３（ａ）で示した。
【００４５】
このように刺通孔１２に対し、係止ピン１の先端挿入部の軸部４ａが斜交状態での刺通は、稚貝１０の係止、保持の極く初期からなされている。
即ちくびれ部８は、抜止片６，６の前後に上側、下側に凹状に小径部として形成されるので、稚貝の重量であっても容易に逆Ｕ字状に撓む。
従って、耳片刺通孔への係止ピン軸部の斜交保持により、耳片への係止ピン刺通による異物侵入に際して生じる新たな貝質による係止ピン軸部への押し曲げ作用は、本考案では極めて軽減されるこことなる。
この結果、従来の係止ピン軸部の略々直交刺通に際し、係止ピン軸部の押し曲げ作用に要するエネルギーは専ら貝の生育に向けられることとなる。
【００４６】
これにより、貝質による軸部の被覆は容易になされ、異物の自己内部からの排除が容易になされ、その分、貝本来の自己の生育にエネルギーを使うことが可能となる。
その結果、従来の係止ピンに比較して生育度合は優れたものとなり、収穫量は従来の係止ピンを使用した場合に比較し増加する。
本実施例によれば、従来の稚貝耳片の刺通の係止、保持が略直交対応の従来例に比較し、経験値で１０％前後増収となった。
【００４７】
図４はロープ２０に前記した通り所定ピッチで多数の係止ピン１…を貫通係止し、係止ピン１…の両端に稚貝１０…を吊り下げ係止して耳吊り養殖を行う状態を示しており、実施には前記した通り径が６〜８ｍｍ、長さが１０〜１５ｍのロープに１００〜１３０ｍｍピッチでクロスするように１００以上の係止ピンを貫通係止し、海中に縦向きにロープを吊り下げて養殖を行う。
図４に示したように、係止ピン１…はくびれ部８，８から稚貝の自重で撓み、係止ピン１…の軸部４ａは稚貝耳片１１の刺通孔１２に対して斜めの通り、斜交状態で係止することとなる。
【００４８】
図５は、第１実施例に係る係止ピンの樹脂成形品９を示す説明図である。
多数の係止ピン１…は、軸部２が夫々平行して配置され、「ハ」字状の抜止片６，６の先端部に設けた連結部９ａ，９ａが平行する係止ピンの抜止片間の軸部７の下側に連結し、これが係止ピンが平行する方向に多数連なって樹脂成形品９を構成する。
実際には、所定数の係止ピンからなる成形品９を繋げて長尺の成形品を得る。成形品９は、連結部９ａ，９ａ部分で容易に曲がるのでロール状に巻回体として提供し、連結部９ａ，９ａで切り離し、係止ピン１の単体を得る。
【００４９】
図６〜図１３は本考案の第２〜第９実施例を示す図である。
基本的構成は実施例１と同じなので、同じ部分には同一符号を付して詳細な説明は省略する。
図６は、本考案の第２実施例を示す図である。
本実施例は、軸部２の抜止片６，６が突設された反対側の下側の面で、抜止片６，６間の軸部７を両端部から各外方部位に長さをもって凹状部を形成し、２箇所のくびれ部８Ａ，８Ａを設けたものである。
第１実施例と同様にくびれ部８Ａ，８Ａの部分から撓む。
【００５０】
図７は、本考案の第３実施例を示す図である。
本実施例は、軸部２の抜止片６，６が突設された軸部７の中間部外周に上側、下側に潜る凹状部を形成し、くびれ部８Ｂを形成したもので、くびれ部８Ｂは軸方向に長さを有している。
本実施例では、くびれ部８Ｂが抜止片６，６間の軸部７周に設けられているので、係止ピン１は逆Ｖ形、或いは逆Ｕ形に撓む。
【００５１】
図８は、本考案の第４実施例を示す図である。
本実施例は、軸部２の抜止片６，６が突設された軸部７の中間部外周に上側に凹状部を形成し、くびれ部８Ｃを形成したもので、くびれ部８Ｃは軸方向に長さを有している。
本実施例では、くびれ部８Ｃが抜止片６，６間の軸部７周に設けられているので、係止ピン１は逆Ｖ形、或いは逆Ｕ形に撓む。
【００５２】
図９は、本考案の第５実施例を示す図である。
本実施例は、軸部２の抜止片６，６が突設された軸部７の中間部外周に下側に凹状部を形成し、くびれ部８Ｄを形成したもので、くびれ部８Ｄは軸方向に長さを有している。
本実施例では、くびれ部８Ｄが抜止片６，６間の軸部７周に設けられているので、係止ピン１は逆Ｖ形、或いは逆Ｕ形に撓む。
【００５３】
図１０は、本考案の第６実施例を示す図である。
本実施例は、軸部２の抜止片６，６が突設された軸部７の軸方向両端部分に上下に凹状部を形成したくびれ部８Ｅ，８Ｅを設けたものである。
本実施例では、くびれ部８Ｅ，８Ｅが抜止片６，６間の軸部７周に２箇所設けられているので、係止ピン１は容易に逆Ｕ形に撓む。
【００５４】
図１１は、本考案の第７実施例を示す図である。
本実施例は、軸部２の抜止片６，６が突設された軸部７の中間部外周の上側に凹状部を形成し、くびれ部８Ｆ，８Ｆを設けたものである。
本実施例では、くびれ部８Ｆ，８Ｆが抜止片６，６間の軸部７周に２箇所設けられているので、係止ピン１は容易に逆Ｕ形に撓む。
【００５５】
図１２は、本考案の第８実施例を示す図である。
本実施例は、軸部２の抜止片６，６が突設された軸部７の中間部外周の下側に凹状部を形成し、くびれ部８Ｇ，８Ｇを設けたものである。
本実施例では、くびれ部８Ｇ，８Ｇが抜止片６，６間の軸部７周に２箇所設けられているので、係止ピン１は容易に逆Ｕ形に撓む。
【００５６】
図１３は、本考案の第８実施例を示す図である。
本実施例は、軸部２の抜止片６，６が突設された軸部７の中間部外周の下側に二ヶとめへん６，６の基部間の長さに亘る凹状部を形成し、くびれ部８Ｈを形成するとともに、軸部２の抜止片６，６の軸方向外方部位の上側に凹状部を形成したくびれ部８Ｉ，８Ｉを形成したものである。
本実施例では、くびれ部８Ｈ，８Ｉ，８Ｉが抜止片６，６間の軸部周及び前後に設けられているので、係止ピン１は容易に逆Ｖ形且つ逆Ｕ形に撓む。
【００５７】
以上本実施例を説明したが、本考案は、要すれば係止ピンの軸部の抜止片部位あるいは、これの近傍に凹状のくびれ部を設け、稚貝を係止保持した状態で、係止ピンがロープと略平行となるようにくびれ部から撓んで曲がり、係止ピンの稚貝刺通係止部と軸部とが斜交した状態で吊り下げ保持し得れば良く、くびれ部の形状等は実施例に限られず任意である。
【産業上の利用可能性】
【００５８】
本考案は、帆立貝の海中への垂下式の耳吊り養殖に利用することができる
【符号の説明】
【００５９】
１…係止ピン、２…軸部、  ３…先端挿入部、  ５…係止片、  ６…抜止片、  ７…抜止片間の軸部、  ８，８Ａ，８Ｂ，８Ｃ，８Ｄ，８Ｅ，８Ｆ，８Ｇ，８Ｈ，８Ｉ…くびれ部。
【図１】
0003189053.tif 000003
【図２】
0003189053.tif 000004
【図３】
0003189053.tif 000005
【図４】
0003189053.tif 000006
【図５】
0003189053.tif 000007
【図６】
0003189053.tif 000008
【図７】
0003189053.tif 000009
【図８】
0003189053.tif 000010
【図９】
0003189053.tif 000011
【図１０】
0003189053.tif 000012
【図１１】
0003189053.tif 000013
【図１２】
0003189053.tif 000014
【図１３】
0003189053.tif 000015
【図１４】
0003189053.tif 000016
【図１５】
0003189053.tif 000017
【図１６】
0003189053.tif 000018
【図１７】
0003189053.tif 000019
【図１８】
0003189053.tif 000020
【図１９】
0003189053.tif 000021
【図２０】
0003189053.tif 000022